(57)【要約】【課題】  魚体や周辺環境に悪影響を及ぼすことのない安全性の高い方法で、養殖魚に寄生しているか、またはその周辺に生息しているゼウクサプタ・ジャポニカを効率よく駆除することを課題とする。【解決手段】  閉鎖水系内で、過酸化水素濃度３００〜４００ｍｇ／リットルで養殖魚を３〜２０分間処理して、該閉鎖水系内のゼウクサプタ・ジャポニカを駆除することを特徴とするゼウクサプタ・ジャポニカの駆除方法により、上記の課題を解決する。【選択図】  なし【特許請求の範囲】
【請求項１】
閉鎖水系内で、過酸化水素濃度３００〜４００ｍｇ／リットルで養殖魚を３〜２０分間処理して、該閉鎖水系内のゼウクサプタ・ジャポニカを駆除することを特徴とするゼウクサプタ・ジャポニカの駆除方法。
【発明の詳細な説明】
【技術分野】
【０００１】
この発明は、魚の養殖用水系内に生息する外部寄生虫の一種であるゼウクサプタ・ジャポニカの駆除方法に関する。さらに詳しくは、この発明は、養殖魚に寄生しているか、またはその周辺に生息しているゼウクサプタ・ジャポニカを駆除する、ゼウクサプタ・ジャポニカの駆除方法に関する。
【背景技術】
【０００２】
従来から海水系、淡水系を問わず各種魚類の養殖が盛んに行われている。これらの養殖魚類に寄生虫が寄生すると、養殖魚の成長が阻害され、ついには斃死するか、斃死しないまでも、魚体に変色や損傷が起こり、養殖魚としての商品価値が低下するという問題が生じる。特に近年の魚病の発生傾向として、養殖対象魚種の多様化、輸入種苗の増加に伴うゼウクサプタ症等の病気が増加している可能性がある。
このような問題を解決するために、養殖魚を淡水浴、濃塩水浴、薬浴などを施して寄生虫を駆除することが行われている。
【０００３】
例えば、特公平７−５１０２８号公報（特許文献１）には、ハマチ、ブリ、カンパチ、シマアジ、タイなどの海水系養殖魚を所定濃度の過酸化水素で所定時間洗浄処理することにより、これらの海水系養殖魚に寄生するエラムシ、ハダムシ、カリグスなどの外部寄生虫を駆除する方法が記載されている。
また、特許第２５７５２４０号公報（特許文献２）には、アユなどの淡水魚を所定濃度の過酸化水素で所定時間処理することにより、淡水魚に寄生する寄生虫（ギロダクチルス）を駆除する方法が記載されている。
特許第２８１７７５３号公報（特許文献３）には、トラフグを所定濃度の過酸化水素で所定時間処理することにより、トラフグの鰓に寄生している段階のヘテロボツリウムを駆除する方法が記載されている。
特開平７−２１３２３４号公報（特許文献４）には、養殖魚類に対する外部寄生虫症予防のために、有機化セレン含有菌体を投与することを特徴とする養殖魚類外部寄生虫症予防方法が記載されている。
特開２００６−６１１０７号公報（特許文献５）には、海産養殖魚類に寄生する外部寄生虫による寄生虫症を抑制するために、カカオ豆から生成されるココアパウダーおよびカカオ豆の豆殻の少なくとも１方を含む寄生虫症抑制剤が記載されている。
【０００４】
上記の寄生虫の中でも、ゼウクサプタ・ジャポニカは、体長４〜９ミリ程度で、カンパチやヒラマサなどの鰓に寄生することが多く、大量寄生すると吸血により鰓は褪色して貧血症状を呈し、慢性的な寄生により、摂餌が低下して痩せたりする。
また、淡水浴による駆除剤を使用しない治療法が、ベネデニアやネオベネデニアなどのハダムシについては確立されているが、ゼウクサプタ・ジャポニカにおいては全く効果を発揮せず、新たな駆除法を見出すことが求められている。
【０００５】
【特許文献１】特公平７−５１０２８号公報
【特許文献２】特許第２５７５２４０号公報
【特許文献３】特許第２８１７７５３号公報
【特許文献４】特開平７−２１３２３４号公報
【特許文献５】特開２００６−６１１０７号公報
【発明の開示】
【発明が解決しようとする課題】
【０００６】
この発明は、魚体や周辺環境に悪影響を及ぼすことのない安全性の高い方法で、養殖魚に寄生しているか、またはその周辺に生息しているゼウクサプタ・ジャポニカを効率よく駆除することを課題とする。
【課題を解決するための手段】
【０００７】
この発明の発明者らは、上記の課題を解決すべく鋭意研究を行った結果、閉鎖水系内において、養殖魚を所定濃度の過酸化水素で所定時間処理することにより、養殖魚に寄生しているか、またはその周辺に生息しているゼウクサプタ・ジャポニカを効率よく駆除できることを見出し、この発明を完成するに到った。
【０００８】
かくして、この発明によれば、閉鎖水系内で、過酸化水素濃度３００〜４００ｍｇ／リットルで養殖魚を３〜２０分間処理して、該閉鎖水系内のゼウクサプタ・ジャポニカを駆除することを特徴とするゼウクサプタ・ジャポニカの駆除方法が提供される。
【発明の効果】
【０００９】
この発明の方法は、魚体や周辺環境に悪影響を及ぼすことのない安全性の高い方法で、養殖魚に寄生しているか、またはその周辺に生息しているゼウクサプタ・ジャポニカを効率よく駆除することができ、産業上極めて有用である。
【発明を実施するための最良の形態】
【００１０】
この発明のゼウクサプタ・ジャポニカの駆除方法は、閉鎖水系内で、過酸化水素濃度３００〜４００ｍｇ／リットルで養殖魚を３〜２０分間処理して、該閉鎖水系内のゼウクサプタ・ジャポニカを駆除することを特徴とする。
【００１１】
この発明の方法で駆除されるゼウクサプタ・ジャポニカ（Zeuxapta japonica）は、扁形動物門、単生綱、多後吸盤目に属し、成虫の体長は４〜９ミリ程度である。虫体の後端部にある左右２列の把握器で宿主の鰓薄板を掴んで寄生する。２列の把握器は、片方が４５〜４７個で、もう一方は３９〜４２個と数が少なく、把握器自体も若干小さい。雌雄同体で、成虫は一端に長いフィラメントが付いた鶏卵型の虫卵を産む。
【００１２】
ゼウクサプタ・ジャポニカは、病理組織学的には、寄生による宿主鰓組織への障害は認められないが、大量寄生すると、吸血により鰓が貧血症状を呈し、慢性的な寄生により、摂餌が低下して痩せる場合もある。代表的な寄生魚および寄生部位としては、カンパチやヒラマサなどの鰓であるが、これらに限定されず、ゼウクサプタ・ジャポニカが寄生するいずれの魚にも適用できる駆除方法である。
【００１３】
この発明で使用される過酸化水素としては、通常、工業用として市販されている濃度３〜６０％（例えば、３５％）の過酸化水素水溶液が挙げられる。
過酸化水素を閉鎖水系内に添加するにあたっては、過酸化水素が直接降り掛かって魚体に悪影響を与えることのないように、過酸化水素を海水あるいは淡水で所定の濃度に希釈して用いるのが好ましい。
【００１４】
この発明の方法における過酸化水素での処理は、ゼウクサプタ・ジャポニカの駆除効果、魚体の生態に対する影響度等を考慮して、養殖魚の種類や周辺環境などの状況により適宜変更することができる。
例えば、過酸化水素濃度３００〜４００ｍｇ／Ｌで３〜２０分間、好ましくは過酸化水素濃度３００〜４００ｍｇ／Ｌで５〜１０分間養殖魚を処理することにより、過酸化水素での処理が行われる。
過酸化水素濃度が３００ｍｇ／Ｌ未満である場合、または処理時間が３分未満である場合には、十分なゼウクサプタ・ジャポニカの駆除効果が得られないことがある。また、過酸化水素濃度が５００ｍｇ／Ｌを超える場合、または処理時間が２０分間を超える場合には、魚体の生態に悪影響を及ぼすおそれがある。
【００１５】
この発明における閉鎖水系とは、隔壁をもって閉鎖された遊泳区画のことをいう。
閉鎖水系内から養殖魚を移動させる方法としては、養殖魚に負担をかけることなく、迅速に移動させることができる方法であれば特に限定されない。例えば、処理（治療）対象の養殖魚が飼育されている生簀に移動式の薬浴用筏を隣接させ、飼育生簀との接合開口部を有する薬浴槽を薬浴用筏に設置しておいて、接合開口部を介して養殖魚を飼育生簀から薬浴槽へ移動させる方法などが挙げられる。
【実施例】
【００１６】
この発明を試験例により具体的に説明するが、この発明はこれらの試験例により限定されるものではない。
【００１７】
試験例１（ゼウクサプタ・ジャポニカ駆除効果確認試験）
某カンパチ養殖場において、カンパチの鰓に寄生したゼウクサプタ・ジャポニカ及びネオベネデニアの駆除試験を行った。約３トンの海水が入った水槽に、過酸化水素を所定の濃度になるように加えた後、ゼウクサプタ・ジャポニカ及びネオベネデニアの寄生したカンパチを１８０尾（魚体重１００ｇ／尾）を入れ、所定時間の薬浴をした後、新しい養殖生簀へ入れて、２４時間飼育後に１０尾を取り上げて、ゼウクサプタ・ジャポニカ及びネオベネデニアの付着数を計測し、１尾当りの平均値を求めた。また淡水浴についても過酸化水素による薬浴と同様のやり方で行なった。この時の海水温度は２３℃であった。結果を表１に示す。
【００１８】
【表１】
2010088352.tif 000002
【００１９】
表１の結果から、ゼウクサプタについては、過酸化水素濃度が３００〜４００ｍｇ／リットルで３〜２０分間薬浴した場合、駆除率は７０％以上であった。過酸化水素濃度が２００ｍｇ／リットル及び淡水浴で３〜２０分間薬浴した場合、駆除率は４０％未満であった。
ネオベネデニアでは、過酸化水素濃度が３００〜４００ｍｇ／リットルで１０〜２０分薬浴した場合、駆除率は７０％以上であり、淡水浴で３〜２０分間薬浴した場合、駆除率は１００％であった。過酸化水素濃度が３００〜４００ｍｇ／リットルで３〜５分薬浴した場合、駆除率は７０％未満であり、過酸化水素濃度が２００ｍｇ／リットルで薬浴した場合、駆除率は４０％未満であった。
過酸化水素濃度が２００〜４００ｍｇ／リットルで２０分間薬浴した場合には、いずれも薬浴中及び薬浴処理後において１〜２尾の死亡が見られた。